(57)【特許請求の範囲】
【請求項１】
本体にネジを保持する保持部が形成されたネジの取付ガイド装置において、
前記保持部は、挿通された前記ネジを軸方向に直交する方向から支持する溝状孔と、この溝状孔の開放側に連なり、前記ネジを前記溝状孔から前記開放側を通過させて受け入れる幅広孔とが前記本体を貫通することで形成され、
前記溝状孔に支持させて被取付部材に仮留めをした前記ネジを、前記本体を軸方向に直交する方向にずらすことで前記溝状孔から外して前記幅広孔で受け入れさせ、軸方向に通過させると共に、前記本体を前記ネジから取り外す、
ことを特徴とするネジの取付ガイド装置。
【請求項２】
前記溝状孔は、前記開放側が内側へ狭められた、
ことを特徴とする請求項１に記載のネジの取付ガイド装置。
【請求項３】
前記溝状孔が、奥まって形成された、
ことを特徴とする請求項１または請求項２に記載のネジの取付ガイド装置。
【請求項４】
前記保持部が、複数形成された、
ことを特徴とする請求項１ないし請求項３のいずれか１項に記載のネジの取付ガイド装置。
【請求項５】
前記溝状孔の端に、前記ネジの座面が接触する、
ことを特徴とする請求項１ないし請求項４のいずれか１項に記載のネジの取付ガイド装置。
【請求項６】
前記保持部に、前記ネジが仮留め状態であることを確認する仮留め確認手段が備えられた、
ことを特徴とする請求項１ないし請求項５のいずれか１項に記載のネジの取付ガイド装置。
【発明の詳細な説明】
【技術分野】
【０００１】
本発明は、ネジの取付ガイド装置に関するものである。
【背景技術】
【０００２】
従来、ネジを被取付部材に取り付ける際、ネジの落下を防止する手段として、先端部が磁気を帯びたドライバを用いて、ネジを磁力により吸着させる手段をはじめ、下記特許文献１に記載のネジ取付用治具を用いてネジをドライバに保持させる手段などが提案されている。
【０００３】
このネジ取付用治具は、ドライバの先端部を挿通させる筒状の保持筒と、この保持筒の下端に連接され、ドライバの挿通方向と直交する方向から頭部を受け入れてネジを上下動不能に拘束する係止部とから構成され、保持筒の孔内に、内向きに突出した弾性爪片が形成されている。このネジ取付用治具によれば、ネジは以下のようにして取り付けられる。
【０００４】
ドライバの挿通方向と直交する方向から頭部を係止部に係止させてネジをネジ取付用治具に取り付ける。次に、保持筒に挿通させたドライバの先端部を、ネジの頭部のプラスまたはマイナス型の溝に嵌めると共に、弾性爪片で挟持する。このようにしてネジをドライバに保持させる。この状態で、ネジを被取付部材に対して本締め状態にした後（最後までねじ込んだ状態）、ドライバを保持筒から抜く。ネジ取付用治具は、ネジの頭部を係止部で係止しているため、ドライバを抜いた後もそのまま残る。
【先行技術文献】
【特許文献】
【０００５】
【特許文献１】実開昭６１−８９４７４号公報
【発明の概要】
【発明が解決しようとする課題】
【０００６】
しかし、ネジ取付治具では、ネジを係止部に係止した後、ドライバを保持筒に挿通することでネジをドライバに保持させるという手間を要していた。また、この状態で、ネジをドライバでネジ取付治具ごと回すため、操作性がよくなかった。さらに、ネジ取付用治具は、ネジを被取付部材に取り付けた後もそのまま残り、ネジから取り外すことができず、ネジ取付用治具を再利用することができなかった。
【０００７】
本発明は、上記の実情に鑑みて提案されたものである。すなわち、操作性がよく、ネジの仮留め、および、仮留め状態のネジからの取り外しを容易にすることができるネジの取付ガイド装置の提供を目的とする。
【課題を解決するための手段】
【０００８】
上記目的を達成するために、本発明は、本体にネジを保持する保持部が形成されたネジの取付ガイド装置において、前記保持部は、挿通された前記ネジを軸方向に直交する方向から支持する溝状孔と、この溝状孔の開放側に連なり、前記ネジを前記溝状孔から前記開放側を通過させて受け入れる幅広孔とが前記本体を貫通することで形成され、前記溝状孔に支持させて被取付部材に仮留めをした前記ネジを、前記本体を軸方向に直交する方向にずらすことで前記溝状孔から外して前記幅広孔で受け入れさせ、軸方向に通過させると共に、前記本体を前記ネジから取り外すことを特徴としている。
【０００９】
また、前記溝状孔は、前記開放側が内側へ狭められたことを特徴としている。
【００１０】
また、前記溝状孔が、奥まって形成されたことを特徴としている。
【００１１】
また、前記保持部が、複数形成されたことを特徴としている。
【００１２】
また、前記溝状孔の端に、前記ネジの座面が接触することを特徴としている。
【００１３】
また、前記保持部に、前記ネジが仮留め状態であることを確認する仮留め確認手段が備えられたことを特徴としている。
【発明の効果】
【００１４】
本発明に係るネジの取付ガイド装置によれば、操作性がよく、ネジの仮留めを容易にすることができる。また、仮留め状態のネジからの取り外しを容易にすることができる。
【図面の簡単な説明】
【００１５】
【図１】本発明に係るネジの取付ガイド装置の実施形態を示す斜視図であり、（ａ）は正面から視した図、（ｂ）は裏面から視した図である。
【図２】本発明に係るネジの取付ガイド装置の実施形態を用いたネジの取り付け手順を説明する図であり、（ａ）はネジを支持している状態を示す正面図およびＸ−Ｘ断面図、（ｂ）はネジの仮留めの最適な状態を示す正面図およびＹ−Ｙ断面図、（ｃ）は仮留め確認手段を実行しつつ、本体をネジから取り外している状態を示す正面図およびＺ−Ｚ断面図、（ｄ）はネジの仮留め完了状態を示す断面図である。
【発明を実施するための形態】
【００１６】
以下に、本発明の実施形態を図面に基づいて説明する。
【００１７】
図１（ａ）、（ｂ）において、本実施形態に係るネジの取付ガイド装置１０は、本体２０と、この本体２０に複数形成された保持部３０とから構成されている。本体２０は、厚板状の平行四辺形をベースとした略多角形に形成されている。本体２０は、底面２２が平坦に形成され、底面２２と平行である上面２３が、それぞれ平坦な上段面２３ａと下段面２３ｂとから階段状に形成されている。上面２３の両端と底面２２の両端とは両側面２４によって連接されている。
【００１８】
両側面２４には、中央に向かって凹状に湾曲したグリップ部が形成され、このグリップ部の端に平坦部２４ａが形成されている。本体２０は、平坦部２４ａと上面２３および下面２２とがそれぞれ直交するように形成され、交差点である隅が面取りされることによって隅部２１が形成されている。本体２０は、正面２５もまた平坦に形成されている。本体２０の素材としては、例えば、ポリアセタール（ＰＯＭ）樹脂などの合成樹脂などが用いられる。
【００１９】
ネジの取付ガイド装置１０を用いて仮留めをするネジ１は、座面４を有する頭３と、座面４に連接され、先端５を有する軸２とから構成された一般的なネジである（図１（ｂ）参照）。
【００２０】
ネジ１を保持する保持部３０は、本体２０をネジ１の軸方向に貫通している。保持部３０は、挿通されたネジ１の軸２を軸方向に直交する方向から支持することができるように、開放側４２が内側へ狭められて略Ｃ字形に形成された溝状孔４１と、溝状孔４１の開放側４２に連なり、ネジ１を溝状孔４１から開放側４２を通過して受け入れる幅広孔５０とから構成されている。保持部３０は、溝状孔４１の径が軸２の径と略同一、開放側４２の幅が、軸２のうちネジ山が形成されている部分の径よりも小さいと共に、ネジ山が形成されていない部分の径と略同一、または、わずかに大きく、幅広孔５０の幅が頭３の径よりも大きい。
【００２１】
保持部３０は、溝状孔４１の中心が所定の位置となるように、上面２３および側面２４の平坦部２４ａからの距離が定められて形成されている。具体的には、二つ保持部３０のうち、一方は、溝状孔４１の中心が上段面２３ａおよび側面２４の平坦部２４ａからそれぞれ２０ｍｍの位置に形成形されている。また、他方は、溝状孔４１の中心が下段面２３ｂおよび側面２４の平坦部２４ａからそれぞれ４０ｍｍの位置に形成されている。保持部３０は、その数、位置を、適宜変更することができる。
【００２２】
溝状孔４１は、外周が空隙４３に縁取られている。この空隙４３は、本体２０を軸方向に貫通している。また、溝状孔４１は、端４４が正面２５よりも軸方向に奥まって形成されている。溝状孔４１の孔の深さは、ネジ１の軸２のうち、ネジ山が形成されていない部分の長さと略同一である（図２（ｂ）参照）。
【００２３】
図２（ａ）において、幅広孔５０には、ネジ１が仮留め状態であることを確認する仮留め確認手段が備えられている。仮留め確認手段は、例えば、上面２３寄りの縁から幅広孔５０の一部を塞ぐように正面２５と同一面上に突出した規制部５１で構成されている。軸方向における、規制部５１と溝状孔４１との間隔は、ネジ１の頭３が収まる程度である。なお、仮留めを確認する方法は後述する。
【００２４】
ここで、仮留めは、本締めをする前の待機状態である。仮留めは、ネジ１を、頭３と被取付部材としての壁７との間に所定の間隔を空けてねじ込むことで最適な状態となる。所定の間隔が広すぎると、ネジ１が浅くねじ込まれるため、壁７から脱落した場合に作業効率が下がる。すなわち、所定の間隔とは、作業効率を低下させないための最適な間隔をいう。具体的には、挿通されたネジ１の座面４から壁７までの距離であり、溝状孔４１の孔の深さと略同じとなる。なお、所定の間隔は、ネジの軸の長さや、ネジ山が形成されていない部分の長さなどによって変動する相対的なものであるため、これらに応じて適宜変更することができる。
【００２５】
以上のようにして、本実施形態は構成されている。次に、本実施形態を用いてネジ１を壁７に、位置決め、および、仮留めをする手順について、図面に基づいて説明する。
【００２６】
図２（ａ）において、本体２０の裏面を壁７に当て、ネジ１の仮留めをする位置に溝状孔４１を合わせる。この際、溝状孔４１および空隙４３を通して壁７の仮留め位置を視認し、溝状孔４１の位置決めをする。場合によっては、上面２３に形成された上段面２３ａを天井６に接触させて、天井６を基準位置とし、また、側面２４に形成された平坦部２４ａを図示しない側壁に接触させて、側壁を基準位置として位置決めをする。さらには、天井６および側壁の両方を基準位置とし位置決めをする。ネジ１の仮留め位置に溝状孔２４を合わせた後、ネジ１を軸２の先端５から溝状孔４１に挿通して、溝状孔４１に支持させる。
【００２７】
図２（ｂ）において、図示しないドライバなどの工具を用いて、正面２５よりも軸方向に奥まって形成された溝状孔４１の端４４に、座面４が接触するまでネジ１を壁７にねじ込む。ネジ１は、座面４が端４４に接触することで、壁７への進入が規制され、壁７へ進入する深さが決定される。具体的には、軸２のうちネジ山が形成されていない部分を溝状孔４１に支持させると共に、ネジ山が形成された部分を壁７にねじ込む。この状態が、本締めをする前の待機状態であり、ネジ１の仮留めとして最適な状態である。
【００２８】
図２（ｃ）において、ネジ１が壁７にねじ込まれて進入した状態で、溝状孔４１を軸２から外すように本体２０を軸方向と直交する方向（図２（ｃ）矢印の方向）にずらす。これにより、幅が、軸２のうちネジ山が形成されていない部分の径と略同一、または、わずかに大きく形成された開放側４２を通過させる。本体２０は、溝状孔４１から外された軸２を、開放側４２を通過させることで、ネジ１を幅広孔５０で受け入れる。
【００２９】
この際、ネジ１は、座面４が端４４に接触していないことにより、軸２のうちネジ山が形成されている部分が溝状孔４１に支持されている場合、ネジ山が形成されている部分の径よりも小さい開放側４２を通過し難い。この場合、ネジ山が形成されていない部分を溝状孔４１に支持させるために、座面４が端４４に接触するまでネジ１を壁７にねじ込む。
【００３０】
また、ネジ１を幅広孔５０で受け入れる際、頭３が規制部５１に引っ掛かるようであれば、壁７からネジ１までの距離が所定の間隔ではない。この場合、ネジ１を軸２が溝状孔４１に支持された状態に戻し、座面４を端４４に接触させることで、ネジ１が所定の間隔を空けて壁７に仮留めがされていることを確認する。
【００３１】
図２（ｄ）において、本体２０を壁７から離すと共に、ネジ１を、幅広孔５０を通過させる。ネジ１が壁７にねじ込まれて仮留めがされた状態で、ネジ１からネジの取付ガイド装置１０を取り外す。
【００３２】
以上のようにして、ネジの取付ガイド装置１０を用いて、ネジ１を壁７に位置決め、仮留めをする。後にネジ１の本締めをする。
【００３３】
上記したように、本実施形態では、上面２３が、それぞれ平坦な上段面２３ａと下段面２３ｂとから形成され、側面２４に平坦部２４ａが形成されている。この構成により、平坦な面を接触させることで天井６や側壁を基準位置とすることができる。したがって、バラツキのない正確な位置決めを容易にすることができる。また、平坦部２４ａと上面２３および下面２２とがそれぞれ直交するような位置関係に形成されている。この構成により、天井６と側壁との両方を同時に基準位置とすることができる。したがって、より安定した位置決めをすることができる。さらに、隅が面取りされることによって隅部２１が形成されている。この構成により、天井６と側壁とが接触する隅が直角でない場合であっても、隅に干渉されることなく天井６および側壁のみで位置決めをすることができる。
【００３４】
また、本実施形態では、保持部３０は、溝状孔４１の中心が所定の位置となるように、上面２３および側面２４の平坦部２４ａからの距離が定められて形成されている。この構成により、天井６や側壁を基準位置として、溝状孔４１の中心を壁７の所定の位置に位置決めをすることができる。したがって、バラツキのない正確な位置決めを容易にすることができる。
【００３５】
また、本実施形態では、保持部３０は、挿通されたネジ１を軸方向に直交する方向から支持する、開放側４２が内側へ狭められて略Ｃ字形に形成された溝状孔４１と、溝状孔４１の開放側４２に連なり、ネジ１を溝状孔４１から開放側４２を通過して受け入れる幅広孔５０とが本体２０を貫通することで形成されている。
【００３６】
この構成により、ネジ１の軸２を溝状孔４１に支持させて、ネジ１のみをドライバで回して壁７に仮留めをさせることができる。したがって、操作性がよく、ネジ１の仮留めを容易にすることができる。
【００３７】
また、軸２を、本体２０を軸方向に直交する方向にずらして溝状孔４１から外すことで、ネジ１を幅広孔５０で受け入れさせ、軸方向に通過させると共に本体２０をネジ１から取り外すことができる。したがって、仮留め状態のネジ１からの取り外しを容易にすることができる。さらに、ネジ１から取り外したネジの取付ガイド装置１０を再利用することができる。
【００３８】
また、本実施形態では、溝状孔４１が略Ｃ字形に形成されている。この構成により、ネジの取付ガイド装置１０は、ネジ１の軸２を包むように支持することで溝状孔４１と軸２との接触面積を増やすことができる。したがって、ネジ１を支持し易く、かつ、安定して支持することができる。
【００３９】
また、本実施形態では、開放側４２の幅が、軸２のうちネジ山が形成されている部分の径よりも小さいと共に、ネジ山が形成されていない部分の径と略同一、または、わずかに大きく形成されている。この構成により、ネジ１は、ネジ山が形成されていない部分が溝状孔４１に支持されている場合には、開放側４２を通過し易くなる。一方で、ネジ１は、ネジ山が形成されている部分が溝状孔４１に支持されている場合は、開放側４２を通過し難くなる。したがって、ネジ１の軸２が、開放側４２を通過し易いことを確認することで、ネジ１の仮留めの程度を適正化することができる。
【００４０】
また、本実施形態によれば、溝状孔４１は、外周に空隙４３が形成されている。この構成により、空隙４３を透して壁７を視認することができる。したがって、位置決めが容易となる。
【００４１】
また、本実施形態によれば、溝状孔４１は、端４４が正面２５よりも軸方向に奥まって形成されている。この構成により、本体２０の厚さを十分に確保したまま、溝状孔４１の孔の深さを浅くすることで、軸２が短いネジ１であっても溝状孔４１で支持できる。したがって、本体２０の操作性、耐久性を確保しつつ、軸２が短いネジ１の仮留めに対応することができる。
【００４２】
また、本実施形態では、保持部３０が複数形成されている。したがって、複数のネジの仮留めを同時にすることができる。また、保持部３０は、形成された位置によって上面２３または側面２４からの距離がそれぞれ異なるため、多様な位置決めに対応することができる。
【００４３】
また、本実施形態では、溝状孔４１の端４４にネジ１の座面４が接触している。この構成により、壁７に取り付けたネジ１の深さが一律となる。したがって、本締めをする前の待機状態として、ネジ１の仮留めを最適な状態にすることができる。
【００４４】
また、本実施形態では、確認手段として、幅広孔５０の縁に、幅広孔５０の一部を塞ぐように上面２３側から正面２５と同一面上に突出した規制部５１が形成されている。この構成により、座面４が端４４に接触していない状態で、本体２０を軸方向と直交する方向にずらした場合、頭３が規制部５１に引っ掛かりネジ１を幅広孔５０で受け入れることができないため、ネジ１が所定の間隔を空けて壁７に仮留めされているか否かを確認することができる。したがって、ネジ１の仮留めの程度を適正化することができる。
【００４５】
本実施形態の変形例として、ネジの取付ガイド装置は、溝状孔を開放側が略Ｃ字形よりも拡げられた略Ｕ字形とした構成でもよい。また、溝状孔は、弾性力を有する素材から形成するとした構成でもよい。これらの構成であっても、ネジ１を溝状孔で十分支持することができる。なお、本実施形態であれば、ネジの取付ガイド装置１０は、ネジ１の軸２を包むように支持することで溝状孔４１と軸２との接触面積を増やすことができるため好ましい。
【００４６】
また、本実施形態の他の変形例として、規制部は、軸方向における溝状孔との間隔がネジ１の頭３が収まる程度であれば、正面から軸方向に突出しつつ幅広孔の一部を塞ぐように形成してもよい。この構成により、ネジ１が所定の間隔を空けて壁７に仮留めされていることを確認ことができる。なお、本実施形態であれば、広孔５０の縁に、孔の一部を塞ぐように上面２３側から正面２５と同一面上に突出した規制部５１が形成され、正面２５が平坦に形成されるため、成型上好ましい。
【００４７】
また、本実施形態の他の変形例として、ネジの取付ガイド装置を透明素材で形成してもよい。この構成により、本体を透かして壁７を視認することができるため、容易に位置決めをすることができる。なお、本実施形態であれば、素材選択の余地が広がるため好ましく、また、溝状孔４１の外周に空隙４３が形成されているため、空隙４３を透して壁７を視認することができ、十分に位置決めが容易となる。
【００４８】
以上、本発明の実施形態を詳述したが、本発明は上記実施形態に限定されるものではない。そして本発明は、特許請求の範囲に記載された事項を逸脱することがなければ、種々の設計変更を行うことが可能である。
【符号の説明】
【００４９】
１                    ネジ
２                    軸
３                    頭
４                    座面
５                    先端
６                    天井
７                    壁
１０                  ネジの取付ガイド装置
２０                  本体
２１                  隅部
２２                  底面
２３                  上面
２３ａ                上段面
２３ｂ                下段面
２４                  側面
２４ａ                平坦部
２５                  正面
３０                  保持部
４０                  支持部
４１                  溝状孔
４２                  開放側
４３                  空隙
４４                  端
５０                  幅広孔
５１                  規制部
【図１】
0005742026.tif 000002
【図２】
0005742026.tif 000003